(57)【要約】【課題】隣接するバスバー間の絶縁距離を確保でき、隣接するバスバー同士が接触して短絡が発生することを防止できるバスバーユニットを提供する。【解決手段】バスバーユニット１は、第１バスバー１０Ｕ及び第２バスバー１０Ｖが前後方向に並んで配置されている。第１バスバー１０Ｕは、左右方向に延びる第１直線部１３１Ｕと、左右方向において第１直線部１３１Ｕから離れるに従って、第２バスバー１０Ｖと反対側に延びる第１傾斜部１３２Ｕと、第１直線部１３１Ｕと第１傾斜部１３２Ｕとを連結する第１屈曲部１３４Ｕと、を備える。第２バスバー１０Ｖは、第１直線部１３１Ｕと略平行に延びる第２直線部１３１Ｖと、第１傾斜部１３２Ｕと略平行に延びる第２傾斜部１３２Ｖと、を備える。第１屈曲部１３４Ｕと第２傾斜部１３２Ｖとの距離Ｄ１２は、第１屈曲部１３４Ｕと第２直線部１３１Ｖとの距離Ｄ１１よりも長い。【選択図】図３
2020137364.tif 000002
【特許請求の範囲】
【請求項１】
平板形状を有する第１バスバー及び第２バスバーを備え、
前記第１バスバー及び前記第２バスバーが、第１方向から見て、前記第１方向と直交する第２方向に並んで配置されたバスバーユニットであって、
前記第１バスバーは、前記第１方向から見て、
前記第２方向に直交する第３方向に直線状に延びる第１直線部と、
前記第１直線部に対し、前記第３方向において前記第１直線部から離れるに従って、前記第２方向において前記第２バスバーが配置されている側と反対側に直線状に延びる第１傾斜部と、
前記第１直線部と前記第１傾斜部とを連結する第１屈曲部と、を備え、
前記第２バスバーは、前記第１方向から見て、
前記第１直線部と同一平面上に配置され、前記第１直線部と略平行に直線状に延びる第２直線部と、
前記第１傾斜部と同一平面上に配置され、前記第１傾斜部と略平行に直線状に延びる第２傾斜部と、
前記第１屈曲部と同一平面上に配置され、前記第２直線部と前記第２傾斜部とを連結する第２屈曲部と、を備え、
前記第１屈曲部の前記第２バスバー側の端面において、前記第１屈曲部と前記第２傾斜部との距離は、前記第１屈曲部と前記第２直線部との距離よりも長い、バスバーユニット。
【請求項２】
請求項１に記載のバスバーユニットであって、
前記第１バスバーは、前記第１方向に延びる第１方向延在部と、前記第２方向に延びる第２方向延在部と、を有し、
前記第２バスバーは、前記第１方向に延びる第１方向延在部と、前記第２方向に延びる第２方向延在部と、を有する、バスバーユニット。
【請求項３】
請求項１に記載のバスバーユニットであって、
平板形状を有する第３バスバーをさらに備え、
前記第３バスバーは、前記第１方向から見て、
前記第１直線部及び前記第２直線部と同一平面上に配置され、前記第２直線部と略平行に直線状に延びる第３直線部と、
前記第１直線部及び前記第２直線部と同一平面上に配置され、前記第２傾斜部と略平行に直線状に延びる第３傾斜部と、
前記第１屈曲部及び前記第２屈曲部と同一平面上に配置され、前記第３直線部と前記第３傾斜部とを連結する第３屈曲部と、を備え、
前記第２屈曲部の前記第３バスバー側の端面において、前記第２屈曲部と前記第３傾斜部との距離は、前記第１屈曲部と前記第２直線部との距離よりも長い、バスバーユニット。
【請求項４】
請求項３に記載のバスバーユニットであって、
前記第１バスバーは、前記第１方向に延びる第１方向延在部と、前記第２方向に延びる第２方向延在部と、を有し、
前記第２バスバーは、前記第１方向に延びる第１方向延在部と、前記第２方向に延びる第２方向延在部と、を有し、
前記第３バスバーは、前記第１方向に延びる第１方向延在部と、前記第２方向に延びる第２方向延在部と、を有する、バスバーユニット。
【発明の詳細な説明】
【技術分野】
【０００１】
本発明は、複数のバスバーを備えるバスバーユニットに関する。
【背景技術】
【０００２】
従来から、電動車両などには、駆動源として回転電機が搭載されている。そして、回転電機と回転電機に電力を供給するための電力変換装置とを電気的に接続する部品として、複数のバスバーを備えるバスバーユニットを用いることが知られている。
【０００３】
この種のバスバーユニットでは、バスバーの長さが長い場合、バスバーの製造誤差等の影響が大きくなり、バスバー両端の端子部を回転電機及び制御装置に接続する際に、バスバーが変形し、隣接するバスバー同士が接触して短絡が発生する虞があった。
【０００４】
そこで、隣接するバスバー同士が接触することを防止するバスバーユニットとして、例えば、特許文献１には、少なくとも１本のバスバーの全周を樹脂等によってモールドするモールド部を備えたバスバーユニットが開示されている。
【先行技術文献】
【特許文献】
【０００５】
【特許文献１】特開２０１８−０３８１２９号公報
【発明の概要】
【発明が解決しようとする課題】
【０００６】
しかしながら、特許文献１のバスバーユニットは、モールド部を形成するためのコスト及び製造工程を要する。そのため、バスバーユニットは、モールド部等によらず、隣接するバスバー間の絶縁距離が確保されていることがより望ましい。
【０００７】
本発明は、隣接するバスバー間の絶縁距離を確保でき、隣接するバスバー同士が接触して短絡が発生することを防止できるバスバーユニットを提供する。
【課題を解決するための手段】
【０００８】
本発明は、
平板形状を有する第１バスバー及び第２バスバーを備え、
前記第１バスバー及び前記第２バスバーが、第１方向から見て、前記第１方向と直交する第２方向に並んで配置されたバスバーユニットであって、
前記第１バスバーは、前記第１方向から見て、
前記第２方向に直交する第３方向に直線状に延びる第１直線部と、
前記第１直線部に対し、前記第３方向において前記第１直線部から離れるに従って、前記第２方向において前記第２バスバーが配置されている側と反対側に直線状に延びる第１傾斜部と、
前記第１直線部と前記第１傾斜部とを連結する第１屈曲部と、を備え、
前記第２バスバーは、前記第１方向から見て、
前記第１直線部と同一平面上に配置され、前記第１直線部と略平行に直線状に延びる第２直線部と、
前記第１傾斜部と同一平面上に配置され、前記第１傾斜部と略平行に直線状に延びる第２傾斜部と、
前記第１屈曲部と同一平面上に配置され、前記第２直線部と前記第２傾斜部とを連結する第２屈曲部と、を備え、
前記第１屈曲部の前記第２バスバー側の端面において、前記第１屈曲部と前記第２傾斜部との距離は、前記第１屈曲部と前記第２直線部との距離よりも長い。
【発明の効果】
【０００９】
本発明によれば、第１バスバーと第２バスバーとの間の絶縁距離を確保でき、第１バスバーと第２バスバーとが接触して短絡が発生することを防止できる。
【図面の簡単な説明】
【００１０】
【図１】本発明の一実施形態のバスバーユニットが端子台に搭載された状態を示す斜視図である。
【図２】図１のバスバーユニットをカバー部材を外した状態でみた斜視図である。
【図３】図２のバスバーユニットをカバー部材を外した状態で上方からみた図である。
【発明を実施するための形態】
【００１１】
以下、本発明のバスバーユニットの一実施形態を、添付図面に基づいて説明する。
【００１２】
図１及び図２に示すように、バスバーユニット１は、３本のバスバー１０Ｕ、１０Ｖ、１０Ｗと、３本のバスバー１０Ｕ、１０Ｖ、１０Ｗをまとめて覆うカバー部材３０と、を備える。
【００１３】
なお、本明細書では、説明を簡単にするために、バスバーユニット１の前後左右上下を図中に示すように定義し、前方向をＦｒ、後方向をＲｒ、右方向をＲ、左方向をＬ、上方向をＵ、下方向をＤ、として示す。ただし、図中に示す方向は、バスバーユニット１が搭載される機器等の方向とは無関係である。
【００１４】
３本のバスバー１０Ｕ、１０Ｖ、１０Ｗは、第１端子台５１から、第１端子台５１の左下方に配置された第２端子台５２へと延びる平板形状を有する。
【００１５】
３本のバスバー１０Ｕ、１０Ｖ、１０Ｗはそれぞれ、上下方向と略垂直な平面を有し、第１端子台５１に固定される第１端子部２１Ｕ、２１Ｖ、２１Ｗと、第１端子部２１Ｕ、２１Ｖ、２１Ｗの前端から下方に延びる第１延在部１１０Ｕ、１１０Ｖ、１１０Ｗと、第１延在部１１０Ｕ、１１０Ｖ、１１０Ｗの下端から前方に延びる第２延在部１２０Ｕ、１２０Ｖ、１２０Ｗと、第２延在部１２０Ｕ、１２０Ｖ、１２０Ｗの前端から左方向に延びる第３延在部１３０Ｕ、１３０Ｖ、１３０Ｗと、第３延在部１３０Ｕ、１３０Ｖ、１３０Ｗの左端から下方に延びる第４延在部１４０Ｕ、１４０Ｖ、１４０Ｗと、第４延在部１４０Ｕ、１４０Ｖ、１４０Ｗの下端から前方に延びる第５延在部１５０Ｕ、１５０Ｖ、１５０Ｗと、第５延在部１５０Ｕ、１５０Ｖ、１５０Ｗの前端に設けられ、前後方向と略垂直な平面を有する第２端子部２２Ｕ、２２Ｖ、２２Ｗと、を備える。
【００１６】
３本のバスバー１０Ｕ、１０Ｖ、１０Ｗは、各延在部１１０Ｕ〜１５０Ｕ、１１０Ｖ〜１５０Ｖ、１１０Ｗ〜１５０Ｗが互いに並行して延びるように配置されている。
【００１７】
３本のバスバー１０Ｕ、１０Ｖ、１０Ｗの配置は適宜設定され得るが、本実施形態では、第１端子部２１Ｕ、２１Ｖ、２１Ｗ、第１延在部１１０Ｕ、１１０Ｖ、１１０Ｗ、及び第２延在部１２０Ｕ、１２０Ｖ、１２０Ｗは、右方から左方にこの順で配置され、第３延在部１３０Ｕ、１３０Ｖ、１３０Ｗ、及び第４延在部１４０Ｕ、１４０Ｖ、１４０Ｗは、前方から後方にこの順で配置され、第５延在部１５０Ｕ、１５０Ｖ、１５０Ｗ、及び第２端子部２２Ｕ、２２Ｖ、２２Ｗは、上方から下方にこの順で配置されている。
【００１８】
第１端子部２１Ｕ、２１Ｖ、２１Ｗには、上下方向と略垂直な平面上に、ボルト挿通孔２１１Ｕ、２１１Ｖ、２１１Ｗが設けられている。第１端子部２１Ｕ、２１Ｖ、２１Ｗは、ボルト挿通孔２１１Ｕ、２１１Ｖ、２１１Ｗに挿通するボルト９２１Ｕ、９２１Ｖ、９２１Ｗによって、第１端子台５１に締結されている。そして、第１端子部２１Ｕ、２１Ｖ、２１Ｗは、第１端子台５１を介して、例えば、Ｕ相、Ｖ相、Ｗ相の各相の電力変換装置（不図示）と電気的に接続されている。
【００１９】
第２端子部２２Ｕ、２２Ｖ、２２Ｗには、前後方向と略垂直な平面上に、ボルト挿通孔２２１Ｕ、２２１Ｖ、２２１Ｗが設けられている。第２端子部２２Ｕ、２２Ｖ、２２Ｗは、ボルト挿通孔２２１Ｕ、２２１Ｖ、２２１Ｗに挿通するボルト９２２Ｕ、９２２Ｖ、９２２Ｗによって、第２端子台５２に締結されている。そして、第２端子部２２Ｕ、２２Ｖ、２２Ｗは、第２端子台５２を介して、例えば、Ｕ相、Ｖ相、Ｗ相の各相の回転電機のコイル（不図示）と電気的に接続されている。
【００２０】
３本のバスバー１０Ｕ、１０Ｖ、１０Ｗは、上下方向に延びる第１延在部１１０Ｕ、１１０Ｖ、１１０Ｗ及び第４延在部１４０Ｕ、１４０Ｖ、１４０Ｗと、前後方向に延びる第２延在部１２０Ｕ、１２０Ｖ、１２０Ｗ及び第５延在部１５０Ｕ、１５０Ｖ、１５０Ｗと、左右方向に延びる第３延在部１３０Ｕ、１３０Ｖ、１３０Ｗと、を有するので、互いに垂直な３方向に延びる。
【００２１】
したがって、第１端子部２１Ｕ、２１Ｖ、２１Ｗ及び第２端子部２２Ｕ、２２Ｖ、２２Ｗを第１端子台５１及び第２端子台５２に締結する際、バスバー１０Ｕ、１０Ｖ、１０Ｗに製造誤差があっても、上下方向、前後方向、及び左右方向に延びる各延在部で、応力を互いに垂直な３方向に分散することができる。
【００２２】
カバー部材３０は、例えば回転電機のケース（不図示）に取付けられるカバーベース３１と、カバーベース３１に保持され、３本のバスバー１０Ｕ、１０Ｖ、１０Ｗを覆うカバー部３２と、を備える。
【００２３】
カバーベース３１には、ボルト挿通孔３１１が設けられている。本実施形態では、カバーベース３１の左右両端に、一対のボルト挿通孔３１１が設けられている。カバーベース３１は、一対のボルト挿通孔３１１に挿通するボルト９３１によって、例えば回転電機のケース（不図示）に固定されている。
【００２４】
カバー部３２は、３本のバスバー１０Ｕ、１０Ｖ、１０Ｗの第２延在部１２０Ｕ、１２０Ｖ、１２０Ｗと、第３延在部１３０Ｕ、１３０Ｖ、１３０Ｗの右端側の一部とを覆っている。３本のバスバー１０Ｕ、１０Ｖ、１０Ｗは、カバー部材３０の内部では同一平面上で並んで配置されている。
【００２５】
このようにバスバー１０Ｕ、１０Ｖ、１０Ｗは、前後方向に延びる第２延在部１２０Ｕ、１２０Ｖ、１２０Ｗと、左右方向に延びる第３延在部１３０Ｕ、１３０Ｖ、１３０Ｗの右端側の一部とがカバー部３２に覆われているため、バスバー１０Ｕ、１０Ｖ、１０Ｗを前後方向、左右方向、及び上下方向に相対的に移動させても、バスバー１０Ｕ、１０Ｖ、１０Ｗがカバー部３２に引っ掛かった状態となり、カバー部３２から抜け落ちることがない。したがって、バスバーユニット１の組立後、３本のバスバー１０Ｕ、１０Ｖ、１０Ｗは、カバー部材３０により、一体として扱うことができる。
【００２６】
また、カバー部材３０は、例えば回転電機のケースに取り付けられた状態で、３本のバスバー１０Ｕ、１０Ｖ、１０Ｗと接触しないように構成されている。これにより、バスバー１０Ｕ、１０Ｖ、１０Ｗが振動した場合でも、バスバー１０Ｕ、１０Ｖ、１０Ｗとカバー部材３０とが接触することによる異音の発生を防止できる。
【００２７】
さらに、３本のバスバー１０Ｕ、１０Ｖ、１０Ｗは、カバー部材３０に固定されておらず、カバー部材３０内である程度動くことができる。これにより、バスバー１０Ｕ、１０Ｖ、１０Ｗに製造誤差があっても、第１端子部２１Ｕ、２１Ｖ、２１Ｗ及び第２端子部２２Ｕ、２２Ｖ、２２Ｗを容易に第１端子台５１及び第２端子台５２に締結することができる。
【００２８】
図２及び図３に示すように、バスバー１０Ｕ、１０Ｖ、１０Ｗの第３延在部１３０Ｕ、１３０Ｖ、１３０Ｗは、上方から見て、前方から後方にこの順で並んで配置されている。
【００２９】
第３延在部１３０Ｕ、１３０Ｖ、１３０Ｗは、上方から見て、右端から左右方向に直線状に延びる右側直線部１３１Ｕ、１３１Ｖ、１３１Ｗと、右側直線部１３１Ｕ、１３１Ｖ、１３１Ｗの左側に配置され、右側から左側に向かうにしたがって前方に傾斜して直線状に延びる前傾部１３２Ｕ、１３２Ｖ、１３２Ｗと、前傾部１３２Ｕ、１３２Ｖ、１３２Ｗの左側に配置され、左右方向に直線状に延びる左側直線部１３３Ｕ、１３３Ｖ、１３３Ｗと、を有し、左側直線部１３３Ｕ、１３３Ｖ、１３３Ｗの左端が第３延在部１３０Ｕ、１３０Ｖ、１３０Ｗの左端となっている。
【００３０】
また、右側直線部１３１Ｕ、１３１Ｖ、１３１Ｗの左端と、前傾部１３２Ｕ、１３２Ｖ、１３２Ｗの右端とは、右側屈曲部１３４Ｕ、１３４Ｖ、１３４Ｗによって連結されており、前傾部１３２Ｕ、１３２Ｖ、１３２Ｗの左端と、左側直線部１３３Ｕ、１３３Ｖ、１３３Ｗの右端とは、左側屈曲部１３５Ｕ、１３５Ｖ、１３５Ｗによって連結されている。
【００３１】
さらに、右側直線部１３１Ｕ、１３１Ｖ、１３１Ｗは、前方から見て、右端から左右方向に延びる上方直線部１３１ａＵ、１３１ａＶ、１３１ａＷと、上方直線部１３１ａＵ、１３１ａＶ、１３１ａＷの左端から左側に向かうにしたがって下方に傾斜して直線状に延びる下傾部１３１ｂＵ、１３１ｂＶ、１３１ｂＷと、下傾部１３１ｂＵ、１３１ｂＶ、１３１ｂＷの左端から、左右方向に延びる下方直線部１３１ｃＵ、１３１ｃＶ、１３１ｃＷと、を有し、下方直線部１３１ｃＵ、１３１ｃＶ、１３１ｃＷの左端が右側直線部１３１Ｕ、１３１Ｖ、１３１Ｗの左端となっている。
【００３２】
右側直線部１３１Ｕ、１３１Ｖ、１３１Ｗは、同一平面上に配置され、略平行に延びている。より具体的には、上方直線部１３１ａＵ、１３１ａＶ、１３１ａＷは、上下方向と垂直な同一平面上に配置され、それぞれ略平行に延びており、下方直線部１３１ｃＵ、１３１ｃＶ、１３１ｃＷは、上下方向と垂直な同一平面上に配置され、それぞれ略平行に延びている。また、下傾部１３１ｂＵ、１３１ｂＶ、１３１ｂＷは、左右方向で同位置に、同一傾斜角で延び、前後方向に並んで形成されている。
【００３３】
前傾部１３２Ｕ、１３２Ｖ、１３２Ｗは、同一平面上に配置され、それぞれ略平行に延びている。右側屈曲部１３４Ｕ、１３４Ｖ、１３４Ｗは、同一平面上に配置されている。左側直線部１３３Ｕ、１３３Ｖ、１３３Ｗは、同一平面上に配置され、それぞれ略平行に延びている。左側屈曲部１３５Ｕ、１３５Ｖ、１３５Ｗは、同一平面上に配置されている。
【００３４】
本実施形態では、前傾部１３２Ｕ、１３２Ｖ、１３２Ｗと、右側屈曲部１３４Ｕ、１３４Ｖ、１３４Ｗと、左側直線部１３３Ｕ、１３３Ｖ、１３３Ｗと、左側屈曲部１３５Ｕ、１３５Ｖ、１３５Ｗとは、右側直線部１３１Ｕ、１３１Ｖ、１３１Ｗの下方直線部１３１ｃＵ、１３１ｃＶ、１３１ｃＷと同一平面上に配置されている。
【００３５】
右側屈曲部１３４Ｖは、右側屈曲部１３４Ｕよりも左側に形成されており、右側屈曲部１３４Ｗは、右側屈曲部１３４Ｖよりも左側に形成されている。同様に、左側屈曲部１３５Ｖは、左側屈曲部１３５Ｕよりも左側に形成されており、左側屈曲部１３５Ｗは、左側屈曲部１３５Ｖよりも左側に形成されている。
【００３６】
バスバー１０Ｕの右側屈曲部１３４Ｕのバスバー１０Ｖ側の端面１３４Ｕａにおいて、右側屈曲部１３４Ｕとバスバー１０Ｖの前傾部１３２Ｖとの距離Ｄ１２は、右側屈曲部１３４Ｕとバスバー１０Ｖの右側直線部１３１Ｖとの距離Ｄ１１よりも長くなっている。
【００３７】
なお、距離Ｄ１１及び距離Ｄ１２について、右側屈曲部１３４Ｕのバスバー１０Ｖ側の端面１３４Ｕａにおける右側屈曲部１３４Ｕの基点は、上方から見て、バスバー１０Ｕの右側直線部１３１Ｕのバスバー１０Ｖ側の端面の延長線ＬＵ１と、バスバー１０Ｕの前傾部１３２Ｕのバスバー１０Ｖ側の端面の延長線ＬＵ２との交点ＸＵ１とする。本実施形態のように、端面１３４Ｕａが面取り加工されている場合でも、同様である。すなわち、距離Ｄ１１は、交点ＸＵ１とバスバー１０Ｖの右側直線部１３１Ｖとの距離であり、距離Ｄ１２は、交点ＸＵ１とバスバー１０Ｖの前傾部１３２Ｖとの距離である。
【００３８】
これにより、バスバー１０Ｕの右側屈曲部１３４Ｕは、隣接するバスバー１０Ｖの前傾部１３２Ｖとの間の絶縁距離を、右側直線部１３１Ｖとの間の絶縁距離よりも長く確保することができるので、バスバー１０Ｕの右側屈曲部１３４Ｕが、隣接するバスバー１０Ｖの前傾部１３２Ｖと接触して、バスバーユニット１に短絡が発生することを防止できる。
【００３９】
バスバー１０Ｖの右側屈曲部１３４Ｖのバスバー１０Ｗ側の端面１３４Ｖａにおいて、右側屈曲部１３４Ｖとバスバー１０Ｗの前傾部１３２Ｗとの距離Ｄ２２は、右側屈曲部１３４Ｖとバスバー１０Ｗの右側直線部１３１Ｗとの距離Ｄ２１よりも長くなっている。
【００４０】
なお、距離Ｄ２１及び距離Ｄ２２について、右側屈曲部１３４Ｖのバスバー１０Ｗ側の端面１３４Ｖａにおける右側屈曲部１３４Ｖの基点は、上方から見て、バスバー１０Ｖの右側直線部１３１Ｖのバスバー１０Ｗ側の端面の延長線ＬＶ１と、バスバー１０Ｖの前傾部１３２Ｖのバスバー１０Ｗ側の端面の延長線ＬＶ２との交点ＸＶ１とする。本実施形態のように、端面１３４Ｖａが面取り加工されている場合でも、同様である。すなわち、距離Ｄ２１は、交点ＸＶ１とバスバー１０Ｗの右側直線部１３１Ｗとの距離であり、距離Ｄ２２は、交点ＸＶ１とバスバー１０Ｗの前傾部１３２Ｗとの距離である。
【００４１】
これにより、バスバー１０Ｖの右側屈曲部１３４Ｖは、隣接するバスバー１０Ｗの前傾部１３２Ｗとの間の絶縁距離を、右側直線部１３１Ｗとの間の絶縁距離よりも長く確保することができるので、バスバー１０Ｖの右側屈曲部１３４Ｖが、隣接するバスバー１０Ｗの前傾部１３２Ｗと接触して、バスバーユニット１に短絡が発生することを防止できる。
【００４２】
バスバー１０Ｖの左側屈曲部１３５Ｖのバスバー１０Ｕ側の端面１３５Ｖｂにおいて、左側屈曲部１３５Ｖとバスバー１０Ｕの前傾部１３２Ｕとの距離Ｄ１４は、左側屈曲部１３５Ｖとバスバー１０Ｕの左側直線部１３３Ｕとの距離Ｄ１３よりも長くなっている。
【００４３】
なお、距離Ｄ１３及び距離Ｄ１４について、左側屈曲部１３５Ｖのバスバー１０Ｕ側の端面１３５Ｖｂにおける左側屈曲部１３５Ｖの基点は、上方から見て、バスバー１０Ｖの左側直線部１３３Ｖのバスバー１０Ｕ側の端面の延長線ＬＶ３と、バスバー１０Ｖの前傾部１３２Ｖのバスバー１０Ｕ側の端面の延長線ＬＶ４との交点ＸＶ２とする。本実施形態のように、端面１３５Ｖｂが面取り加工されている場合でも、同様である。すなわち、距離Ｄ１３は、交点ＸＶ２とバスバー１０Ｕの左側直線部１３３Ｕとの距離であり、距離Ｄ１４は、交点ＸＶ２とバスバー１０Ｕの前傾部１３２Ｕとの距離である。
【００４４】
これにより、バスバー１０Ｖの左側屈曲部１３５Ｖは、隣接するバスバー１０Ｕの前傾部１３２Ｕとの間の絶縁距離を、左側直線部１３３Ｕとの間の絶縁距離よりも長く確保することができるので、バスバー１０Ｖの左側屈曲部１３５Ｖが、隣接するバスバー１０Ｕの前傾部１３２Ｕと接触して、バスバーユニット１に短絡が発生することを防止できる。
【００４５】
バスバー１０Ｗの左側屈曲部１３５Ｗのバスバー１０Ｖ側の端面１３５Ｗｂにおいて、左側屈曲部１３５Ｗとバスバー１０Ｖの前傾部１３２Ｖとの距離Ｄ２４は、左側屈曲部１３５Ｗとバスバー１０Ｖの左側直線部１３３Ｖとの距離Ｄ２３よりも長くなっている。
【００４６】
なお、距離Ｄ２３及び距離Ｄ２４について、左側屈曲部１３５Ｗのバスバー１０Ｖ側の端面１３５Ｗｂにおける左側屈曲部１３５Ｗの基点は、上方から見て、バスバー１０Ｗの左側直線部１３３Ｗのバスバー１０Ｖ側の端面の延長線ＬＷ３と、バスバー１０Ｗの前傾部１３２Ｗのバスバー１０Ｖ側の端面の延長線ＬＷ４との交点ＸＷ２とする。本実施形態のように、端面１３５Ｗｂが面取り加工されている場合でも、同様である。すなわち、距離Ｄ２３は、交点ＸＷ２とバスバー１０Ｖの左側直線部１３３Ｖとの距離であり、距離Ｄ２４は、交点ＸＷ２とバスバー１０Ｖの前傾部１３２Ｖとの距離である。
【００４７】
これにより、バスバー１０Ｗの左側屈曲部１３５Ｗは、隣接するバスバー１０Ｖの前傾部１３２Ｖとの間の絶縁距離を、左側直線部１３３Ｖとの間の絶縁距離よりも長く確保することができるので、バスバー１０Ｗの左側屈曲部１３５Ｗが、隣接するバスバー１０Ｖの前傾部１３２Ｖと接触して、バスバーユニット１に短絡が発生することを防止できる。
【００４８】
以上、本発明の実施形態を説明したが、本発明は上記実施形態に限定されるものではなく、適宜、変形、改良、等が可能である。
【００４９】
また、本明細書には少なくとも以下の事項が記載されている。なお、括弧内には、上記した実施形態において対応する構成要素等を示しているが、これに限定されるものではない。
【００５０】
（１）  平板形状を有する第１バスバー（バスバー１０Ｕ）及び第２バスバー（バスバー１０Ｖ）を備え、
前記第１バスバー及び前記第２バスバーが、第１方向（上下方向）から見て、前記第１方向と直交する第２方向（前後方向）に並んで配置されたバスバーユニット（バスバーユニット１）であって、
前記第１バスバーは、前記第１方向から見て、
前記第２方向に直交する第３方向（左右方向）に直線状に延びる第１直線部（右側直線部１３１Ｕ）と、
前記第１直線部に対し、前記第３方向において前記第１直線部から離れるに従って、前記第２方向において前記第２バスバーが配置されている側（後方側）と反対側（前方側）に直線状に延びる第１傾斜部（前傾部１３２Ｕ）と、
前記第１直線部と前記第１傾斜部とを連結する第１屈曲部（右側屈曲部１３４Ｕ）と、を備え、
前記第２バスバーは、前記第１方向から見て、
前記第１直線部と同一平面上に配置され、前記第１直線部と略平行に直線状に延びる第２直線部（右側直線部１３１Ｖ）と、
前記第１傾斜部と同一平面上に配置され、前記第１傾斜部と略平行に直線状に延びる第２傾斜部（前傾部１３２Ｖ）と、
前記第１屈曲部と同一平面上に配置され、前記第２直線部と前記第２傾斜部とを連結する第２屈曲部（右側屈曲部１３４Ｖ）と、を備え、
前記第１屈曲部の前記第２バスバー側の端面（端面１３４Ｕａ）において、前記第１屈曲部と前記第２傾斜部との距離（距離Ｄ１２）は、前記第１屈曲部と前記第２直線部との距離（距離Ｄ１１）よりも長い、バスバーユニット。
【００５１】
（１）によれば、第１バスバーの第１屈曲部は、第２バスバーの第２傾斜部との間の絶縁距離を、第２バスバーの第２直線部との間の絶縁距離よりも長く確保することができるので、第１バスバーの第１屈曲部が第２バスバーの第２傾斜部と接触して、バスバーユニットの短絡が発生することを防止できる。
【００５２】
（２）  （１）に記載のバスバーユニットであって、
前記第１バスバーは、前記第１方向に延びる第１方向延在部（第１延在部１１０Ｕ、第４延在部１４０Ｕ）と、前記第２方向に延びる第２方向延在部（第２延在部１２０Ｕ、第５延在部１５０Ｕ）と、を有し、
前記第２バスバーは、前記第１方向に延びる第１方向延在部（第１延在部１１０Ｖ、第４延在部１４０Ｖ）と、前記第２方向に延びる第２方向延在部（第２延在部１２０Ｖ、第５延在部１５０Ｖ）と、を有する、バスバーユニット。
【００５３】
（２）によれば、第１バスバーは、第１方向に延びる第１方向延在部と、第２方向に延びる第２方向延在部と、第３方向に延びる第１直線部とを有する。これにより、第１バスバーの両端部を電気機器等に接続する際、第１バスバーに製造誤差があっても、応力を第１方向延在部と、第２方向延在部と、第１直線部とで、互いに垂直な３方向に分散することができる。
同様に、第２バスバーは、第１方向に延びる第１方向延在部と、第２方向に延びる第２方向延在部と、第３方向に延びる第２直線部とを有する。これにより、第２バスバーの両端部を電気機器等に接続する際、第２バスバーに製造誤差があっても、応力を第１方向延在部と、第２方向延在部と、第２直線部とで、互いに垂直な３方向に分散することができる。
【００５４】
（３）  （１）に記載のバスバーユニットであって、
平板形状を有する第３バスバー（バスバー１０Ｗ）をさらに備え、
前記第３バスバーは、前記第１方向から見て、
前記第１直線部及び前記第２直線部と同一平面上に配置され、前記第２直線部と略平行に直線状に延びる第３直線部（右側直線部１３１Ｗ）と、
前記第１直線部及び前記第２直線部と同一平面上に配置され、前記第２傾斜部と略平行に直線状に延びる第３傾斜部（前傾部１３２Ｗ）と、
前記第１屈曲部及び前記第２屈曲部と同一平面上に配置され、前記第３直線部と前記第３傾斜部とを連結する第３屈曲部（右側屈曲部１３４Ｗ）と、を備え、
前記第２屈曲部の前記第３バスバー側の端面（端面１３４Ｖａ）において、前記第２屈曲部と前記第３傾斜部との距離（距離Ｄ２２）は、前記第１屈曲部と前記第２直線部との距離（距離Ｄ２１）よりも長い、バスバーユニット。
【００５５】
（３）によれば、バスバーユニットは第３バスバーをさらに備え、第２バスバーの第２屈曲部は、第３バスバーの第３傾斜部との間の絶縁距離を、第３バスバーの第３直線部との間の絶縁距離よりも長く確保することができるので、第２バスバーの第２屈曲部が第３バスバーの第３傾斜部と接触して、バスバーユニットの短絡が発生することを防止できる。
【００５６】
（４）  （３）に記載のバスバーユニットであって、
前記第１バスバーは、前記第１方向に延びる第１方向延在部（第１延在部１１０Ｕ、第４延在部１４０Ｕ）と、前記第２方向に延びる第２方向延在部（第２延在部１２０Ｕ、第５延在部１５０Ｕ）と、を有し、
前記第２バスバーは、前記第１方向に延びる第１方向延在部（第１延在部１１０Ｖ、第４延在部１４０Ｖ）と、前記第２方向に延びる第２方向延在部（第２延在部１２０Ｖ、第５延在部１５０Ｖ）と、を有し、
前記第３バスバーは、前記第１方向に延びる第１方向延在部（第１延在部１１０Ｗ、第４延在部１４０Ｗ）と、前記第２方向に延びる第２方向延在部（第２延在部１２０Ｗ、第５延在部１５０Ｗ）と、を有する、バスバーユニット。
【００５７】
（４）によれば、第１バスバーは、第１方向に延びる第１方向延在部と、第２方向に延びる第２方向延在部と、第３方向に延びる第１直線部とを有する。これにより、第１バスバーの両端部を電気機器等に接続する際、第１バスバーに製造誤差があっても、応力を第１方向延在部と、第２方向延在部と、第１直線部とで、互いに垂直な３方向に分散することができる。
同様に、第２バスバーは、第１方向に延びる第１方向延在部と、第２方向に延びる第２方向延在部と、第３方向に延びる第２直線部とを有する。これにより、第２バスバーの両端部を電気機器等に接続する際、第２バスバーに製造誤差があっても、応力を第１方向延在部と、第２方向延在部と、第２直線部とで、互いに垂直な３方向に分散することができる。
さらに、第３バスバーは、第１方向に延びる第１方向延在部と、第２方向に延びる第２方向延在部と、第３方向に延びる第３直線部とを有する。これにより、第３バスバーの両端部を電気機器等に接続する際、第３バスバーに製造誤差があっても、応力を第１方向延在部と、第２方向延在部と、第３直線部とで、互いに垂直な３方向に分散することができる。
【符号の説明】
【００５８】
１  バスバーユニット
１０Ｕ  バスバー（第１バスバー）
１１０Ｕ  第１延在部（第１方向延在部）
１２０Ｕ  第２延在部（第２方向延在部）
１３０Ｕ  第３延在部
１３１Ｕ  右側直線部（第１直線部）
１３２Ｕ  前傾部（第１傾斜部）
１３４Ｕ  右側屈曲部（第１屈曲部）
１３４Ｕａ  端面
１４０Ｕ  第４延在部（第１方向延在部）
１５０Ｕ  第５延在部（第２方向延在部）
１０Ｖ  バスバー（第２バスバー）
１１０Ｖ  第１延在部（第１方向延在部）
１２０Ｖ  第２延在部（第２方向延在部）
１３０Ｖ  第３延在部
１３１Ｖ  右側直線部（第２直線部）
１３２Ｖ  前傾部（第２傾斜部）
１３４Ｖ  右側屈曲部（第２屈曲部）
１３４Ｖａ  端面
１４０Ｖ  第４延在部（第１方向延在部）
１５０Ｖ  第５延在部（第２方向延在部）
１０Ｗ  バスバー（第３バスバー）
１１０Ｗ  第１延在部（第１方向延在部）
１２０Ｗ  第２延在部（第２方向延在部）
１３０Ｗ  第３延在部
１３１Ｗ  右側直線部（第３直線部）
１３２Ｗ  前傾部（第３傾斜部）
１３４Ｗ  右側屈曲部（第３屈曲部）
１４０Ｗ  第４延在部（第１方向延在部）
１５０Ｗ  第５延在部（第２方向延在部）
Ｄ１１、Ｄ１２、Ｄ２１、Ｄ２２  距離
【図１】
2020137364.tif 000003
【図２】
2020137364.tif 000004
【図３】
2020137364.tif 000005